【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
複数の変動表示領域のそれぞれで複数の識別図柄を変動表示させる変動表示ゲームを行う表示装置と、始動条件の成立に基づき前記表示装置における変動表示ゲームを制御すると共に、前記変動表示ゲームの表示結果が特別結果態様であった場合に、特定の遊技価値を付与可能な制御手段と、を備え、
前記制御手段は、変動表示ゲームを行う過程で、複数の変動表示領域の表示結果の少なくとも一部が特別結果態様となる条件を満たすリーチ状態が発生する場合に表示されるリーチ図柄を、停止位置にて微少に変動させる仮停止を行うと共に、該変動表示ゲームの変動時間を通常よりも長くするリーチ変動表示を実行する遊技機において、
前記制御手段は、
前記変動表示ゲームのリーチ変動表示を行うか否かを決定するリーチ変動決定手段と、
複数種類のリーチ変動表示を行うためのリーチ変動表示データを記憶するリーチ記憶手段と、
前記リーチ変動決定手段によりリーチ変動表示を行うと決定された場合、前記リーチ記憶手段から所定のリーチ変動表示データを選択し、該リーチ変動表示を実行するリーチ選択実行手段と、
を備え、
前記リーチ選択実行手段は、
前記リーチ変動決定手段により決定されたリーチ変動表示の種類に基づいて、該リーチ変動表示の結果が特別結果態様になる信頼度を判定するリーチ信頼度判定手段と、
前記リーチ信頼度判定手段の判定結果に基づいて、リーチ図柄を決定するリーチ図柄決定手段と、を含み、
該リーチ図柄によってリーチ変動表示の信頼度を報知することを特徴とする遊技機。
【請求項２】
前記リーチ変動決定手段は、リーチ変動表示を決定する確率を複数段階に設定可能なリーチ確率設定手段を備え、
前記リーチ確率設定手段は、所定条件の成立に基づき、リーチ変動表示を実行する確率を変更可能なリーチ確率変更手段を備え、
前記リーチ信頼度判定手段は、リーチ変動表示の信頼度を定めた複数の信頼度判定テーブルを有し、前記リーチ確率変更手段によりリーチ変動表示を実行する確率を変更したことに基づき、選択する信頼度判定テーブルを切り替えることを特徴とする請求項１に記載の遊技機。
【請求項３】
前記制御手段は、
前記変動表示ゲームの表示結果が特別結果態様となるかの大当たり予告報知を所定の割合で行う予告報知手段と、
前記大当たり予告報知を行う場合は、その変動表示ゲームの変動開始時にリーチ変動表示の信頼度を上げる信頼度加算定手段と、を備え、
前記信頼度加算定手段は、前記リーチ変動表示の信頼度データに所定値を加算し、
前記リーチ図柄決定手段は、該加算結果に基づいてリーチ図柄を決定することを特徴とする請求項１または２に記載の遊技機。
【手続補正２】
【補正対象書類名】明細書
【補正対象項目名】０００１
【補正方法】変更
【補正の内容】
【０００１】
【発明の属する技術分野】
この発明は、表示装置で複数の識別情報を変動表示する変動表示ゲームを行い、この結果態様に関連して特定の遊技価値を付与可能な遊技機に関する。
【手続補正３】
【補正対象書類名】明細書
【補正対象項目名】０００４
【補正方法】変更
【補正の内容】
【０００４】
そして、変動表示ゲームが終了した際に複数の表示領域の各々に停止表示された各図柄が予め定められた特別結果態様（大当り結果態様：例えば、「１，１，１」、「２，２，２」…等のぞろ目数字の何れか）を形成した場合に、遊技価値の付与として特定遊技価値（大当り遊技状態）を発生させ、例えば遊技盤に設けられている変動入賞装置を開状態に変換することで遊技者が多量の遊技球を獲得可能な状態となる。また、変動表示ゲームの過程で、例えば左表示領域と中表示領域の変動表示が停止して、右表示領域の変動表示のみが行われている状態で、左と中に停止表示された図柄がリーチ表示態様（例えば、「２，２．一」、一は未停止状態を表す）を形成してリーチ（リーチ状態）となった場合に、右表示領域における変動表示の速度を低速にすると共にその変動表示時間を通常よりも長くするようなリーチ変動表示を行うことで、遊技者に特別結果態様の成立（特定遊技価値の発生）に対する期待感を高めるようにしている。
【手続補正４】
【補正対象書類名】明細書
【補正対象項目名】０００９
【補正方法】変更
【補正の内容】
【０００９】
【課題を解決するための手段】
複数の変動表示領域のそれぞれで複数の識別図柄を変動表示させる変動表示ゲームを行う表示装置と、始動条件の成立に基づき前記表示装置における変動表示ゲームを制御すると共に、前記変動表示ゲームの表示結果が特別結果態様であった場合に、特定の遊技価値を付与可能な制御手段と、を備え、前記制御手段は、変動表示ゲームを行う過程で、複数の変動表示領域の表示結果の少なくとも一部が特別結果態様となる条件を満たすリーチ状態が発生する場合に表示されるリーチ図柄を、停止位置にて微少に変動させる仮停止を行うと共に、該変動表示ゲームの変動時間を通常よりも長くするリーチ変動表示を実行する遊技機において、前記制御手段は、前記変動表示ゲームのリーチ変動表示を行うか否かを決定するリーチ変動決定手段と、複数種類のリーチ変動表示を行うためのリーチ変動表示データを記憶するリーチ記憶手段と、前記リーチ変動決定手段によりリーチ変動表示を行うと決定された場合、前記リーチ記憶手段から所定のリーチ変動表示データを選択し、該リーチ変動表示を実行するリーチ選択実行手段と、を備え、前記リーチ選択実行手段は、前記リーチ変動決定手段により決定されたリーチ変動表示の種類に基づいて、該リーチ変動表示の結果が特別結果態様になる信頼度を判定するリーチ信頼度判定手段と、前記リーチ信頼度判定手段の判定結果に基づいて、リーチ図柄を決定するリーチ図柄決定手段と、を含み、該リーチ図柄によってリーチ変動表示の信頼度を報知する。
【手続補正５】
【補正対象書類名】明細書
【補正対象項目名】００１４
【補正方法】変更
【補正の内容】
【００１４】
仮停止とは、再変動開始前や、図柄停止コマンドを受信する前であって、最終停止図柄が確定表示されていない状態で変動表示装置に図柄が停留している様態である。仮停止は、例えば、揺れ動作、拡大縮小動作等によって遊技者に最終停止図柄が確定していない旨を報知するために用いる。
【手続補正６】
【補正対象書類名】明細書
【補正対象項目名】００１５
【補正方法】変更
【補正の内容】
【００１５】
第２の発明は、第１の発明において、前記リーチ変動決定手段は、リーチ変動表示を決定する確率を複数段階に設定可能なリーチ確率設定手段を備え、前記リーチ確率設定手段は、所定条件の成立に基づき、リーチ変動表示を実行する確率を変更可能なリーチ確率変更手段を備え、前記リーチ信頼度判定手段は、リーチ変動表示の信頼度を定めた複数の信頼度判定テーブルを有し、前記リーチ確率変更手段によりリーチ変動表示を実行する確率を変更したことに基づき、選択する信頼度判定テーブルを切り替える。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
第３の発明は、第１、第２の発明において、前記制御手段は、前記変動表示ゲームの表示結果が特別結果態様となるかの大当たり予告報知を所定の割合で行う予告報知手段と、前記大当たり予告報知を行う場合は、その変動表示ゲームの変動開始時にリーチ変動表示の信頼度を上げる信頼度加算定手段と、を備え、前記信頼度加算定手段は、前記リーチ変動表示の信頼度データに所定値を加算し、前記リーチ図柄決定手段は、該加算結果に基づいてリーチ図柄を決定する。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
【発明の効果】
第１の発明では、決定されたリーチ変動表示の種類に基づき、そのリーチ変動表示の結果が特別結果態様になる信頼度に基づいてリーチ図柄（仮停止のリーチ図柄）を決定するので、リーチになった際、表示されるリーチ図柄によってリーチ（リーチ変動表示）の信頼度を知ることができ、リーチ変動表示が出現した瞬間、特別結果態様（大当たり）を期待できなくなってしまうということを低減するようにでき、興趣に富む変動表示ゲームを行える。
【手続補正１５】
【補正対象書類名】明細書
【補正対象項目名】００２４
【補正方法】変更
【補正の内容】
【００２４】
第２の発明では、リーチ変動表示を実行する確率を変更したことに基づき、選択する信頼度判定テーブルを切り替えるので、例えばリーチ変動表示を出現しやすくして遊技に変化を与えることができ、新鮮な遊技を行え、遊技者を飽きさせるようなことはない。
【手続補正１６】
【補正対象書類名】明細書
【補正対象項目名】００２５
【補正方法】変更
【補正の内容】
【００２５】
第３の発明では、大当たり予告報知が有るのに、リーチ図柄の信頼度が低くなって、遊技者の期待を半減してしまうことを回避できる。
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００６２
【補正方法】変更
【補正の内容】
【００６２】
この変動表示の開始後、所定時間経過すると、変動表示は例えば左図柄、右図柄、中図柄の順に仮停止（例えば、停止位置にて識別図柄を微少に変動させること等：最終停止態様が確定しない状態である）されていくが、この過程でリーチ状態（例えば、左図柄と右図柄が大当たりの組合せを発生する可能性のある組合せ）が発生すると、所定のリーチ遊技が行われる。このリーチ遊技では、例えば中図柄の変動表示を極低速で行ったり、高速変動したり、所定の停止位置に来る毎に仮停止したり、変動表示を逆転したりする。また、リーチ遊技に合わせた背景表示、キャラクタ表示が行われる。